(57)【要約】【課題】複数の雨樋用シート材を積み重ねて輸送スペースや保管スペース等の効率を高めることができると共に、積み重ねた際に荷崩れ等を防止でき、更に、雨樋として使用する場合においては、雨水等をスムーズに排水することのできる雨樋用シート材を提供する。【解決手段】複数の長尺の棒状体１が間隔をあけて同方向に配設され、これら複数の棒状体１が可撓部２を介して一体化されたシート状に形成したことを特徴とする。【選択図】図１
2010048059.tif 000002
【特許請求の範囲】
【請求項１】
複数の長尺の棒状体が間隔をあけて同方向に配設され、これら複数の棒状体が可撓部を介して一体化されたシート状に形成したことを特徴とする雨樋用シート材。
【請求項２】
請求項１において、
シート状の雨樋用シート材を、幅方向に折り曲げて雨樋を形成したときには、前記雨樋の内側面に棒状体が突出するように形成している雨樋用シート材。
【発明の詳細な説明】
【技術分野】
【０００１】
本発明は、複数の棒状体が可撓部を介して一体化されてなる雨樋用シート材に関する。
【背景技術】
【０００２】
従来、断面が半円弧状の金属板製樋状体を樋方向に沿って全長にわたり切欠して多数の弧状曲成細帯状板に分割し、該多数の弧状曲成細帯状板間の切欠間隔を軟質合成樹脂で充填して屈曲自在部とすると共に多数の弧状曲成細帯状板を軟質合成樹脂で被覆してなる雨樋用シート材があった（特許文献１参照。）。
【０００３】
この雨樋用シート材は、前記軟質合成樹脂の曲成自在部を屈曲させて半円弧状、角溝状等に形成すると共に、この半円弧状にした形状を、例えば樋受金具等よって保持することで、雨樋として使用するものである。
【０００４】
一方、前記雨樋として使用する前には、一枚のシート状に形成できるため、例えば、この雨樋用シート材をシート状にした状態で積み重ねることによって、輸送スペースや保管スペース等を少スペース化して収納効率を高めることができるという効果がある。
【特許文献１】実開昭５１−６５２５号
【発明の開示】
【発明が解決しようとする課題】
【０００５】
しかし、従来の雨樋用シート材には、以下の問題があった。
【０００６】
すなわち、雨樋用シート材は、例えば、円弧状に形成して雨樋として使用するものであるため、一般に長尺に形成してなる。
【０００７】
そのため、１枚の雨樋用シート材自体の重量も重く、これを複数積み重ねたときには、高重量となる。
【０００８】
一方、従来の雨樋用シート材は、前記の通り、多数の弧状曲成細帯状板を軟質合成樹脂で被覆してなるため、表裏面が滑面である。
【０００９】
そのため、これら複数の雨樋用シート材を積み重ねて輸送する際等には、積み重ねた雨樋用シート材が滑って荷崩れ等を生じ易いという危険があった。
【００１０】
又、雨樋用シート材を円弧状、角溝状等に形成して雨樋として使用する場合においては、雨水等をできる限りスムーズに排水したいという要望もあった。
【００１１】
本発明は、かかる課題を解決することを目的とし、複数の雨樋用シート材を積み重ねて輸送スペースや保管スペース等を少スペース化して収納効率を高めることができると共に、積み重ねた際に荷崩れ等を防止でき、更に、雨樋として使用する場合においては、雨水等をスムーズに排水することのできる雨樋用シート材を提供する。
【課題を解決するための手段】
【００１２】
前記目的を達成するため、
請求項１に係る雨樋用シート材は、複数の長尺の棒状体が間隔をあけて同方向に配設され、これら複数の棒状体が可撓部を介して一体化されたシート状に形成したことを特徴とする。
【００１３】
請求項２に係る雨樋用シート材は、請求項１において、シート状の雨樋用シート材を、幅方向に折り曲げて雨樋を形成したときには、前記雨樋の内側面に棒状体が突出するように形成している。
【発明の効果】
【００１４】
本発明によれば、次のような効果がある。
【００１５】
請求項１に係る雨樋用シート材によれば、複数の長尺の棒状体が間隔をあけて同方向に配設され、これら複数の棒状体が可撓部を介して一体化されたシート状に形成しているので、これをシート状にした状態で積み重ねることによって、輸送スペースや保管スペース等を少スペース化して収納効率を高めることができる。
【００１６】
又、複数の棒状体が可撓部を介して一体化されているため、可撓部では、どこでも折曲可能となり、雨樋を固定する金具の形状に応じて形状が自由に対応できる。
【００１７】
更に、前記棒状体が間隔をあけて同方向に配設されているので、複数の雨樋用シート材を積み重ねて輸送する際等には、上下に隣接する棒状体同士が係止するため、積み重ねた雨樋用シート材が滑ることを阻止して荷崩れ等を確実に防止できる。
【００１８】
請求項２に係る雨樋用シート材によれば、これを幅方向に折り曲げて雨樋を形成したときには、前記雨樋の内側面に棒状体が突出するように形成しているので、複数の前記棒状体が同方向（長手方向）に向けて突出した状態となり、内側面を流れる雨水等を同方向（長手方向）に整流しながらスムーズに排水できる。
【発明を実施するための最良の形態】
【００１９】
以下、本発明に係る雨樋用シート材Ａを図面とともに説明する。
【実施例１】
【００２０】
図１（ａ）は、本発明に係る雨樋用シート材Ａの一実施例を示す部分斜視図であり、図１（ｂ）は、（ａ）の断面図である。又、図１（ｃ）は、（ａ）、（ｂ）で示した雨樋用シート材Ａを複数積み重ねた状態を示す使用状態図である。
【００２１】
本発明の雨樋用シート材Ａは、複数の長尺の棒状体１が間隔をあけて同方向に配設され、これら複数の棒状体１が可撓部２を介して一体化されたシート状に形成したことを特徴にしている。
【００２２】
棒状体１は、プラスチック、塩化ビニル等の合成樹脂材や、アルミニウム、銅、ステンレス等の金属材等を長尺の棒状に形成してなる。
【００２３】
可撓部２は、軟質樹脂材やゴム材等のような柔軟性を有するシート材や薄肉金属シート材、曲げ用溝付きの金属材、合成樹脂材等を用い、隣設する棒状体１、１同士に接着、溶着又は硬軟同時成形等によって一体化して曲げ可能にしている。
【００２４】
このように構成した本発明の雨樋用シート材Ａによれば、これをシート状にした状態で積み重ねることによって、輸送スペースや保管スペース等を少スペース化して収納効率を高めることができる。
【００２５】
又、棒状体１が間隔をあけて同方向に配設されているので、図１（ｃ）で示すように、複数の雨樋用シート材Ａを積み重ねて輸送する際等には、上下に隣接する棒状体１同士が係止するため、積み重ねた雨樋用シート材Ａが滑ることを阻止して荷崩れ等を確実に防止できる。
【００２６】
図２は、図１で示した本発明に係る雨樋用シート材Ａの使用状態図であり、（ａ）は、雨樋用シート材Ａを折り曲げる前のシート状態を示した部分断面図であり、（ｂ）は、雨樋用シート材Ａを幅方向に折り曲げて雨樋を形成した状態を示す使用状態図である。
【００２７】
なお、図１（ａ）〜（ｃ）と共通する部位には同一の符号を付し、以下では、本実施例の特徴についてのみ説明する。
【００２８】
前述の通り、本発明の雨樋用シート材Ａは、これを積み重ねて輸送する際等には、荷崩れ等を確実に防止できるうえ、輸送スペースや保管スペース等を少スペース化して収納効率を高めることができる。
【００２９】
そして、安全に輸送された本発明の雨樋用シート材Ａは、施工現場等において、１枚毎に取り出され、この取り出したシート状の雨樋用シート材Ａを幅方向に折り曲げて、例えば、断面略Ｕ状の雨樋を形成すると共に、この断面略Ｕ状にした形状を樋受金具Ｂ等よって保持することで、軒樋として使用するのである。
【００３０】
しかも、この軒樋を形成したときには、軒樋の内側面に棒状体１が突出するように形成しているので、複数の棒状体１が同方向（長手方向）に向けて突出した状態となり、内側面を流れる雨水等を同方向（長手方向）に整流しながらスムーズに排水できるのである。
【００３１】
なお、図２では、本発明の雨樋用シート材Ａを樋受金具Ｂよって断面略Ｕ状に保持してなる軒樋を例示したが、複数の棒状体１が可撓部２を介して一体化されているため、可撓部２では、どこでも折曲可能となり、樋受金具Ｂの形状に応じて自由に対応できるため、これに限定されず、本発明の雨樋用シート材Ａを断面略Ｖ状、半円状、多角形状に保持してなる軒樋として使用できることは勿論である。
【００３２】
以上のように、本発明に係る雨樋用シート材Ａによれば、複数の長尺の棒状体１が間隔をあけて同方向に配設され、これら複数の棒状体１が可撓部２を介して一体化されたシート状に形成しているので、これをシート状にした状態で積み重ねることによって、輸送スペースや保管スペース等を少スペース化して収納効率を高めることができる。
【００３３】
又、棒状体１が間隔をあけて同方向に配設されているので、複数の雨樋用シート材Ａを積み重ねて輸送する際等には、上下に隣接する棒状体１同士が係止するため、積み重ねた雨樋用シート材Ａが滑ることを阻止して荷崩れ等を確実に防止できる。
【００３４】
更に、本発明に係る雨樋用シート材Ａを幅方向に折り曲げて雨樋を形成したときには、前記雨樋の内側面に棒状体１が突出するように形成しているので、複数の棒状体１が同方向（長手方向）に向けて突出した状態となり、内側面を流れる雨水等を同方向（長手方向）に整流しながらスムーズに排水できるのである。
【実施例２】
【００３５】
図３は、本発明に係る雨樋用シート材Ａの他の実施例を示す要部拡大断面図であり、図３（ａ）は、図１、２で示した棒状体１を中空に形成したものである。
【００３６】
又、図３（ｂ）は、棒状体１を断面略四角状に形成したものを示し、図３（ｃ）は、棒状体１を断面略半円状の中空に形成したものを各々示している。
【００３７】
なお、図１、図２と共通する部位には同一の符号を付し、以下では、本実施例の特徴についてのみ説明する。
【００３８】
図３（ａ）で示したように、棒状体１を中空に形成すれば、雨樋用シート材Ａを軽量化することができる。
【００３９】
又、図３（ｂ）で示したように、棒状体１を可撓部２と一体成形したシート状に形成すれば、生産性を高めることができる。
【００４０】
更に、図３（ｃ）で示したように、棒状体１を中空に形成すると共に、この棒状体１と可撓部２を一体成形することで、生産性を高めることができるうえ、軽量化も図ることができる。
【図面の簡単な説明】
【００４１】
【図１】（ａ）は、本発明に係る雨樋用シート材Ａの一実施例を示す部分斜視図であり、（ｂ）は、（ａ）の断面図である。又、（ｃ）は、（ａ）、（ｂ）で示した雨樋用シート材Ａを複数積み重ねた状態を示す使用状態図である。
【図２】本発明に係る雨樋用シート材Ａの使用状態図であり、（ａ）は、雨樋用シート材Ａを折り曲げる前のシート状態を示した部分断面図であり、（ｂ）は、雨樋用シート材Ａを幅方向に折り曲げて雨樋を形成した状態を示す使用状態図である。
【図３】本発明に係る雨樋用シート材Ａの他の実施例を示す要部拡大断面図であり、（ａ）は、図１、２で示した棒状体１を中空に形成したものである。又、（ｂ）は、棒状体１を断面略四角状に形成したものを示し、（ｃ）は、棒状体１を断面略半円状の中空に形成したものを各々示している。
【符号の説明】
【００４２】
Ａ    雨樋用シート材
１    棒状体
２    可撓部
【図１】
2010048059.tif 000003
【図２】
2010048059.tif 000004
【図３】
2010048059.tif 000005
【手続補正書】
【提出日】平成21年4月9日(2009.4.9)
【手続補正１】
【補正対象書類名】明細書
【補正対象項目名】０００３
【補正方法】変更
【補正の内容】
【０００３】
この雨樋用シート材は、前記軟質合成樹脂の曲成自在部を屈曲させて半円弧状、角溝状等に形成すると共に、この半円弧状、角溝状等にした形状を、例えば樋受金具等によって保持することで、雨樋として使用するものである。
【手続補正２】
【補正対象書類名】明細書
【補正対象項目名】００１０
【補正方法】変更
【補正の内容】
【００１０】
又、雨樋用シート材を半円弧状、角溝状等に形成して雨樋として使用する場合においては、雨水等をできる限りスムーズに排水したいという要望もあった。